(57)【要約】      （修正有）【課題】簡易な操作で一方の物質と他方の物質とを混合でき、しかも使用時まで誤って混合されることがなく、かつ発生した気体が外部に放出される二剤混合容器を提供すること。【解決手段】容器内部に個別に収納した第一の物質と第二の物質とを該容器内部で混合する二剤混合容器において、第一の物質を収納する容器本体と、口部に螺合されたキャップと、キャップ外側に着脱自在に装着された吸引具とからなり、  キャップは外筒と、仕切壁と、仕切壁の下面に設けられた内筒とを備え、外筒内周面は容器本体の口部外周に螺合し、内筒は容器本体の口部内に挿入し、内筒内に開口する抜き栓を仕切壁上面に設け、内筒の下端に栓体を有し、該内筒の下端を該栓体により閉鎖して第二の物質を内筒内に収納し、二剤混合容器を構成した。  【選択図】図１
2006124010.tif 000002
【特許請求の範囲】
【請求項１】
容器内部に個別に収納した第一の物質と第二の物質とを該容器内部で混合する二剤混合容器において、
第一の物質を収納する容器本体と、容器本体の口部に螺合されたキャップと、キャップ外側に底部を上にして着脱自在に装着された吸引具とからなり、
キャップは外筒と、外筒を上下に仕切る仕切壁と、仕切壁の下面に設けられた内筒とを備え、
外筒内周面は容器本体の口部外周に螺合し、
内筒は容器本体の口部内に挿入され、
仕切壁上面に内筒内を開口させる抜き栓を設け、
仕切壁の下面に抜き栓の開口を覆う通気性フィルタを備え、
内筒の下端に栓体を取り付け、該栓体により第二の物質を内筒内に収納させ、
栓体は容器本体の上方に延びる係止腕を有し、
吸引具は、底部をキャップ上部に組付け可能にした有底円筒体で、該底部に吸引具の内外を連通する貫通孔を備え、
キャップを容器本体に対して抜き出し方向に螺進させると、係止腕が容器本体の内壁に当接し内筒下端が栓体から引き抜かれ、第二の物質が容器本体内部に落下し、抜き栓を除去したキャップ上部に吸引具をその底部より組み付けるように構成した二剤混合容器。
【請求項２】
吸引具の吸引口を底部に対して傾斜した方向に開口させた請求項１に記載の二剤混合容器。
【発明の詳細な説明】
【技術分野】
【０００１】
本発明は、予め異なる物質を容器内に収納し、使用時にそれら物質を混合して吸引用ガスや蒸散する薬剤などを容器内で生じさせる二剤混合容器に関する。
【背景技術】
【０００２】
毛染め剤を使用する場合や、吸引用酸素を発生させる場合などでは、予め異なる複数の薬剤、もしくは主剤と触媒等をそれぞれ個別に混合容器内に収納しておき、使用直前にそれら薬剤等を混合容器内で混合させて薬剤の機能を活性化させたり、ガスを発生させる方法が従来より知られている。
【０００３】
このような使い方をする混合容器としては、例えば毛染め剤の第一の薬剤を容器本体内に収納し、容器本体の上部に容器本体とシール材で遮断した小容器を設け、切断刃を下降させてシール材を破断させることで小容器に収納した毛染め剤の第二の薬剤を容器本体内に落下させてそれぞれの薬剤を容器内で混合させるようにした二液混合容器の例がある。
【０００４】
またカートリッジ内に過酸化水素水と触媒とを隔壁を介して封入し、カートリッジを本体に装着すると隔壁の一部が破損し、カートリッジ内の過酸化水素水と触媒とが接触して酸素が発生し、それを容器の外に放出するようにした携帯用酸素発生器の例がある。
【０００５】
【特許文献１】特開２０００−８５８２８号公報
【特許文献１】特開２００４−５１４０３号公報
【発明の開示】
【発明が解決しようとする課題】
【０００６】
上記二液混合容器は、切断刃でシール材を破断した後も口部からシール材が完全に除去されず、シール材の一部が口部の周囲に付着したままとなる。毛染め剤など内容物が液状の場合は比重が大きく口部に残ったシール材を動かしながら容器内を容易に流動するが、酸素など気体を容器内で発生させた場合は、口部に残ったシール材が通気抵抗となり円滑に気体が容器の外に放出されなくなることが考えられる。
【０００７】
また上記携帯用酸素発生器は、容器とカートリッジとを常に一緒に携帯する必要がある。またカートリッジを取り出し、容器に装填しなくてはならず手間がかかり、直ぐに酸素を必要としたときには好ましくない。
【０００８】
更に本体に組み付ける際、カートリッジに設けられた３枚のシール材を連続して破断しなければならず、高齢者や病人自身が操作するには負担が大きいことが考えられる。逆にシール材の強度を小さくすると、保管中など不要なところでシール材が破損することが起こる。
【０００９】
また切刃をカートリッジ内部に案内する部分がカートリッジの上部に少なく、本体を斜めにした状態でカートリッジに差し入れしまいシール材が円滑に開封されなかったり、切刃がカートリッジの壁面に当接して破損したりすることが考えられる。
【００１０】
本発明は簡易な操作で一方の物質を他方の物質に投入し、しかも使用時まではそれぞれの物質を混在させることがなく個別に収納し、かつ容器内に流通に支障となるものがなく、発生した気体が円滑に外部に放出される二剤混合容器を提供することを目的とする。
【課題を解決するための手段】
【００１１】
１、  容器内部に個別に収納した第一の物質と第二の物質とを該容器内部で混合する二剤混合容器において、
第一の物質を収納する容器本体と、容器本体の口部に螺合されたキャップと、キャップ外側に底部を上にして着脱自在に装着された吸引具とからなり、
キャップは外筒と、外筒を上下に仕切る仕切壁と、仕切壁の下面に設けられた内筒とを備え、
外筒内周面は容器本体の口部外周に螺合し、
内筒は容器本体の口部内に挿入し、
仕切壁上面に内筒内を開口させる抜き栓を設け、
仕切壁の下面に抜き栓の開口を覆う通気性フィルタを備え、
内筒の下端に栓体を取り付け、該栓体により第二の物質を内筒内に収納させ、
栓体は容器本体の上方に延びる係止腕を有し、
吸引具は、底部をキャップ上部に組付け可能にした有底円筒体で、該底部に吸引具の内外を連通する貫通孔を備え、
キャップを容器本体に対して抜き出し方向に螺進させると、係止腕が容器本体の内壁に当接し内筒下端が栓体から引き抜かれ、第二の物質が容器本体内部に落下し、抜き栓を除去したキャップ上部に吸引具をその底部より組み付けるようにして二剤混合容器を構成した。
【００１２】
２、  吸引具の吸引口を底部に対して傾斜した方向に開口させて二剤混合容器を構成した。
【００１３】
１においては、キャップを回転させて内筒を栓体から外した後キャップを締めなおし、容器本体にキャップを再度締結することが好ましい。
【００１４】
抜き栓は、リングプルなど内筒の上端を確実に閉鎖させ、周囲を切り取ることで内筒の上部を開放させる栓が好ましい。通気性フィルタは、容器本体内の内容物を通過させず、内容物から発生した気体を通過させる性能を有している。
【発明の効果】
【００１５】
本発明の二剤混合容器は、次の効果を有する。
【００１６】
吸引具を容器本体から取り外し、キャップを回転させるとキャップの内筒が栓体から引き抜かれ下端が開放される。したがって、誤操作の恐れがなく、何人も容易かつ確実に第二の物質を容器本体内に投入し、第一の物質と第二の物質とを容器本体内で混合することができる。
【００１７】
栓体がキャップの内筒から完全に取り外されるので、容器本体内に気体の流通を阻害するものがなく、吸引具から円滑にガスや薬剤が放出される。
【００１８】
抜き栓により内筒内に第二の物質を密閉状態で保存できる。
【００１９】
抜き栓を外すと吸引具を介して所定の気体や薬剤蒸気を吸引でき、しかも通気性フィルタにより内筒内が閉鎖されているので、内容物を攪拌した場合でも混合容器の内部から内容物が飛散するのを防止できる。また通気性フィルタにより内容物が漏洩しないので、二剤混合容器を横にした状態でも使用できる。
【００２０】
２においては、吸引口の開口方向を容器本体に対して傾斜でき、使用者の口元に吸引口を近づけ易い。
【発明を実施するための最良の形態】
【００２１】
図２に二剤混合容器を示す。
【００２２】
二剤混合容器２は、容器本体４と、キャップ６と、吸引具８を備えている。
【００２３】
容器本体４は有底円筒状の容器で上部に口部５を有し、内部に第一の物質Ａが１００ｃｃ程度収納してある。尚、第一の物質Ａの量は１００ｃｃに限るものではない。
【００２４】
キャップ６は外筒１０と、外筒１０の内部を上下に仕切る仕切壁１１と、外筒１０と同心円の内筒１２からなる円筒体である。外筒１０の仕切壁１１を境にした下部内面にはねじ部１３が形成してあり、口部５上端と仕切壁１１の間にパッキン１７を挟んでねじ部１３が口部５に螺合している。外筒１０の仕切壁１１を境にした上部は吸引具８を組み付ける組付筒部２１に形成してあり、内周面に凹溝２３が形成してある。
【００２５】
仕切壁１１には抜き栓としてのリングプル１４が形成してあり、引き環１５を引き上げるとリングプル１４の周囲の仕切壁１１が切り溝２２に沿って切断され開口２５（図１参照）が形成される。
【００２６】
仕切壁１１の下面側には外筒１０と同心円状に内筒１２が設けてある。内筒１２は口部５の内部に挿入してあり、下端には栓体１８が取り付けてある。栓体１８は内筒１２の下端を密閉し、密閉された内筒１２の内部には第二の物質Ｂが２５ｃｃ程度収納してある。
【００２７】
栓体１８の周囲には係止腕１９が容器本体４の段部７に向けて延びており、キャップ６が口部５から引き上げられると係止腕１９の先端が段部７に当接する。
【００２８】
内筒１２の内側には、仕切壁１１に密着して通気性フィルタ１６が取り付けてある。通気性フィルタ１６は気体を通すが液体を通過させない特性を備え、リングプル１４を除去した後に形成される開口２５を覆う広さを有している。
【００２９】
吸引具８は有底円筒体で、使用前は底部９を上にして吸引口３１の内部をキャップ６の外周に被せてある。底部９は外筒１０の組付筒部２１に組み付く形状で、外周には突状２７が設けてある。また底部９には、底部９を貫通して吸引口３１内に通じる開口孔２０が設けてある。吸引口３１の開口端内側には容器本体４の周溝２９に着脱自在に取り付く突状３２が形成してある。
【００３０】
次に二剤混合容器２の使用方法について説明する。
【００３１】
使用前の二剤混合容器２は、図２に示すように容器本体４に第一の物質Ａ、例えばぜんそく薬の一方の薬剤が収納してあり、内筒１２の内部に第二の物質Ｂ、例えばぜんそく薬の他方の薬剤が収納してある。第一の物質Ａと第二の物質Ｂは、両者を混合すると気体、あるいは蒸気となってぜんそくの薬が液面から蒸散する。
【００３２】
二剤混合容器２を使用するには吸引具８をキャップ６から取り外し、キャップ６を螺脱方向に回転させる。キャップ６が上方に移動すると係止腕１９が段部７にかかり、更にキャップ６を回転させると内筒１２の下端が栓体１８から引き抜かれる。内筒１２が栓体１８から引き抜かれると第二の物質Ｂが栓体１８とともに落下し、容器本体４に収納された第一の物質Ａ上に投入される。
【００３３】
キャップ６を螺合方向に回転させて締め付け、必要に応じて二剤混合容器２を振り、容器本体４内で第一の物質Ａと第二の物質Ｂとを攪拌する。
【００３４】
次にリングプル１４を引き抜き、外筒１０の組付筒部２１に吸引具８の底部９を押し込む。吸引具８を外筒１０に組み付けた状態を図３に示す。吸引具８を組み付けると、通気性フィルタ１６と開口孔２０を通して容器本体４の内部と吸引具８の吸引口３１の内部とが連通する。
【００３５】
これにより第一の物質Ａと第二の物質Ｂとを混合して発生した気体状の薬剤が通気性フィルタ１６を通過し、開口孔２０を通って吸引具８の内部に流入し、吸引口３１から薬剤を吸引できる。
【００３６】
二剤混合容器２には通気性フィルタ１６が設けられていることから、第一の物質Ａと第二の物質Ｂから発生した気体のみが通過し、第一の物質Ａと第二の物質Ｂの混合物は漏出することがない。したがって二剤混合容器２を振って内容物を攪拌でき、また二剤混合容器２を横にした状態で使用できる。
【００３７】
次に、吸引具の形状が異なる二剤混合容器３の例を図４、図５を用いて説明する。
【００３８】
二剤混合容器３は、吸引具３８以外は二剤混合容器２と同一である。吸引具３８は、基部３９が吸引口３１の中心軸に対して傾斜して設けられている。吸引具３８をキャップ６に組み付けた状態を図４に示す。このように基部３９が傾斜していることから吸引具３８をキャップ６から外し、基部３９をキャップ６の組付筒部２１に組み付けると、図５に示すように吸引口３１が斜め前方に向けて開口する。
【００３９】
したがって二剤混合容器３は、二剤混合容器３を立てた状態で吸引口３１を使用者の口元に近づけることができ、内部で第一の物質Ａと第二の物質Ｂの混合して気体を発生させて容易に吸引できる。また通気性フィルタ１６を備えているので内容物が漏出することがなく、殊に使用者が横になった状態でも二剤混合容器３を使用できるので、使用形態が拡大される。
【図面の簡単な説明】
【００４０】
【図１】本発明にかかる二剤混合容器の使用状態を示した断面図である。
【図２】二剤混合容器の一実施形態を示した部分断面図である。
【図３】二剤混合容器の一実施形態を示した斜視図である。
【図４】二剤混合容器の他の実施形態を示した正面図である。
【図５】二剤混合容器の他の実施形態を示した正面図である。
【符号の説明】
【００４１】
２    二剤混合容器
４    容器本体
５    口部
６    キャップ
７    段部
８、３８    吸引具
９、３９    底部
１０  外筒
１１  仕切壁
１２  内筒
１３  ねじ部
１４  リングプル
１５  引き環
１６  通気性フィルタ
１７  パッキン
１８  栓体
１９  係止腕
２０  開口孔
２１  組付筒部
２２  切り溝
２３  凹溝
２５  開口
２７  突条
２９  周溝
３０  ねじ部
３１  吸引口
３２  突条
Ａ    第一の物質
Ｂ    第二の物質
【図１】
2006124010.tif 000003
【図２】
2006124010.tif 000004
【図３】
2006124010.tif 000005
【図４】
2006124010.tif 000006
【図５】
2006124010.tif 000007